(57)【要約】  シェービング装置のシェービングヘッドに適用されるのに適したキャップ（１１）は、少なくとも２つの環状波形（２２，２３，２４）を含む皮膚接触表面（２１）を有する。キャップ（１１）の皮膚接触表面（２１）の形状は、キャップ（１１）を含む少なくとも１つのシェービングヘッドを備えるシェービング装置の使用者のための高い快適性の感覚を実現するよう構成される。快適性の感覚に寄与する要因は、最外側波形（２２）の環状中央表面（２２ａ）が、少なくとも１つの他の波形（２３，２４）の少なくとも１つの中央表面（２３ａ，２４ａ）に続く仮想の滑らかに流れる平面（３０）の予期される進路と一致しない向きを有し、少なくとも１つの他の波形（２３，２４）の少なくとも１つの中央表面（２３ａ，２４ａ）に対する最外側波形（２２）の中央表面（２２ａ）の下垂構造が実現されることである。
2010510823.tif 000002
【特許請求の範囲】
【請求項１】
シェービング装置のシェービングヘッドに適用されることが意図され、且つ、シェービングされるべき皮膚と接触するための表面を有するキャップであって、
前記皮膚接触表面は、少なくとも２つの環状波形を有し、各環状波形は、環状中央表面と、内側環状境界表面と、外側環状境界表面とを有し、
当該キャップの中心から当該キャップの外周縁への方向において、最外側環状波形の前記中央表面の進路が、前記少なくとも１つの他の環状波形の前記少なくとも１つの中央表面に続く仮想の滑らかに流れる平面の予期される進路から逸脱し、前記最外側環状波形の前記中央表面は、前記少なくとも１つの他の環状波形の前記少なくとも１つの中央表面に続く前記仮想の滑らかに流れる平面から傾斜して離れる、
キャップ。
【請求項２】
前記最外側環状波形の前記中央表面は、前記最外側環状波形に近接する環状波形の前記中央表面に対して有意に傾斜され、前記最外側環状波形の前記中央表面の全体的な向きと前記最外側環状波形に隣接する前記環状波形の前記中央表面の全体的な向きとの間の角度は、０°よりも有意に大きい、請求項１に記載のキャップ。
【請求項３】
前記最外側環状波形の前記中央表面の前記全体的な向き、及び、前記最外側環状波形に隣接する前記環状波形の前記中央表面の前記全体的な向きは、１０°よりも大きい、請求項２に記載のキャップ。
【請求項４】
少なくとも３つの環状波形を含み、前記最外側環状波形の前記中央表面の全体的な向きと前記最外側環状波形に隣接する環状波形の前記中央表面の全体的な向きとの間の角度が、最内側環状波形の前記中央表面の全体的な向きと前記最内側環状波形に隣接する環状波形の前記中央表面の全体的な向きとの間よりも大きい、請求項１乃至３のうちのいずれか１項に記載のキャップ。
【請求項５】
当該キャップの中心から当該キャップの外周縁への方向において、前記環状波形の前記中央表面は、凸状に湾曲する、請求項１乃至３のうちのいずれか１項に記載のキャップ。
【請求項６】
異なる環状波形の前記中央表面の曲率半径は、実質的に同じである、請求項５に記載のキャップ。
【請求項７】
前記最外側環状波形の前記中央表面は、前記最外側環状波形に隣接する環状波形の前記中央表面と異なるレベルに延びる、請求項１乃至６のうちのいずれか１項に記載のキャップ。
【請求項８】
最内側環状波形の前記中央表面は、前記最内側環状波形に隣接する環状波形の前記中央表面と異なるレベルに延びる、請求項１乃至７のうちのいずれか１項に記載のキャップ。
【請求項９】
前記環状波形が配置される当該キャップの部分の全体的な形状は、トロイダルである、請求項１乃至８のうちのいずれか１項に記載のキャップ。
【請求項１０】
シェービング装置に適用されることが意図されるシェービングヘッドであって、毛を通じて切断するよう構成される切断部材と、請求項１乃至９のうちのいずれか１項に記載のキャップとを含む、シェービングヘッド。
【請求項１１】
シェービング装置に適用されることが意図されるユニットであって、前記シェービング装置のハウジングの部分と、請求項１０に記載の少なくとも１つのシェービングヘッドとを含む、ユニット。
【請求項１２】
前記シェービングヘッドは、前記シェービング装置の前記ハウジングの前記部分に接続される、請求項１１に記載のユニット。
【請求項１３】
請求項１０に記載の少なくとも１つのシェービングヘッドを含む、シェービング装置。
【請求項１４】
請求項１３に記載のシェービング装置であって、前記シェービングヘッドは、当該シェービング装置のハウジングの部分に接続される、シェービング装置。
【発明の詳細な説明】
【技術分野】
【０００１】
本発明は、シェービング装置（髭剃り）のシェービングヘッド（髭剃りヘッド）に適用されることが意図され、且つ、シェービングされるべき皮膚に接触するための表面を有し、皮膚接触表面は、少なくとも２つの環状波形を含み、各環状波形は、環状中央表面と、内部環状境界表面と、外側環状境界表面とを有するキャップに関する。本発明は、そのようなキャップと、毛を通じて切断するよう構成される切断部材とを有するシェービングヘッド、シェービング装置のハウジングの一部と、少なくとも１つのそのようなシェービングヘッドとを含む、シェービング装置に適用されることが意図されるユニット、及び、少なくとも１つのそのようなシェービングヘッドを含むシェービング装置にも関する。
【背景技術】
【０００２】
シェービング装置は毛を剃り落とす目的のために適用可能であることが概ね既知である。周知の種類のシェービング装置は、電気シェービング装置（電気髭剃り）、即ち、シェービング装置の１つ又はそれよりも多くの構成部品を駆動するための電気モータを含むシェービング装置である。
【０００３】
電気シェービング装置は、少なくとも１つのシェービングヘッドを含み、シェービングヘッドは、シェービング装置の複合素子であり、毛を実際に捕捉し且つ毛切断作用を遂行するために働く。この目的を達成するために、とりわけ、シェービングヘッドは、シェービングされるべき皮膚と接触するための表面を有するキャップを有し、キャップは、毛を捕捉し且つシェービングヘッドの内部空間に毛を通させる孔を備える。この内部空間には、キャップに近接して、切断部材が配置され、それはシェービング装置の動作中にキャップに対して移動するよう駆動されるので、キャップの孔を通じて延びる毛は切り落とされる。切断部材はキャップによって皮膚から遮断されるので、キャップが皮膚を保護する機能も有することは明らかである。
【０００４】
皮膚の特定地域をシェービングする目的のために、切断部材が駆動され、シェービングヘッドが皮膚と接触させられ、シェービング装置がシェービングヘッドと皮膚との間の接触が維持されながら皮膚に沿って移動されるので、毛を捕捉し且つ毛を切り落とす連続的なプロセスが遂行される。
【０００５】
とりわけ、シェービング装置の少なくとも１つのシェービングヘッドのキャップの形状は、その皮膚がシェービング動作に晒される人によって経験される感覚を決定するための重要な要因である。この点に関する他の重要な要因の例は、シェービングヘッドがシェービング動作中に使用者によって保持されるシェービング装置の部分に対して移動可能である程度である。
【０００６】
広範なキャップが既知であり、実際に適用される。普通、所謂回転式シェービング装置、即ち、少なくとも１つのシェービングヘッドの切断部材が回転可能に配置されるシェービング装置のシェービングヘッドは、円形の周縁を有するキャップを備える。具体的な種類のキャップにおいて、キャップの皮膚接触表面は、３つの同心状に配置された環状波形を含み、毛を捕捉するための装置は、これらの環状波形内に配置される。
【発明の概要】
【発明が解決しようとする課題】
【０００７】
シェービング装置のシェービングヘッドに適用されることが意図されるキャップであり、このキャップを有する少なくとも１つのシェービングヘッドを含むシェービング装置の使用者のための増大された快適性の感覚を実現し得るよう成形されるキャップを提供することが本発明の目的である。
【課題を解決するための手段】
【０００８】
この目的は、少なくとも２つの環状波形を含む皮膚接触表面を有するキャップであって、各環状波形は、環状中央表面と、内側環状境界表面と、外側環状境界表面とを有し、キャップの中心からキャップの外周縁への方向において、最外側環状波形の中央表面の進路が、少なくとも１つの他の環状波形の少なくとも１つの中央表面に続く仮想の滑らかに流れる平面の予期される進路から逸脱し、最外側環状波形の中央表面は、少なくとも１つの他の環状波形の少なくとも１つの中央表面に続く仮想の滑らかに流れる平面から傾斜して離れるキャップによって達成される。
【０００９】
本発明によれば、キャップの最外側環状波形の中央表面は、他の環状波形の中央表面を備える仮想の滑らかな流れ平面の上にない。このようにして、他の環状波形の中央表面に対する最外側環状波形の中央表面の明らかな下垂構造を得ることが可能である。本発明に従ったキャップの適用は、正に、使用者の快適性の感覚を増大するように思われる。その説明は、最外側環状波形の外側環状境界表面によって構成される障壁が、少なくとも２つの環状波形を有する如何なる既知のキャップにおけるよりも、本発明に従ったキャップ内でより低いという事実に見い出される。このようにして、使用者が彼又は彼女の皮膚に沿ってキャップを移動するとき、皮膚の新鮮な部分がキャップの最外側環状波形の外側環状境界表面に直面する前進プロセスがより滑らかな方法で行われることが達成され、その場合には、最外側環状波形に対するより低い圧力ピークが実現される。
【００１０】
有利に、本発明に従ったキャップでは、最外側環状波形の中央表面は、最外側環状波形に隣接する環状波形の中央表面に対して有意に傾斜され、最外側環状波形の中央表面の全体的な向きと最外側環状波形に隣接する環状波形の中央表面の全体的な向きとの間の角度は０°よりも有意に大きい。例えば、この角度は、最外側環状波形に対する圧力ピークの減少の望ましい効果が実際に得られよう、１０°よりも大きくあり得るし、最外側環状波形は隣接する環状波形に対して言わばランオン(run-on)として機能するので、皮膚の地域に沿うキャップの移動の間の快適性の感覚が増大される。
【００１１】
完全性のために、中央表面の全体的な向きの着想は、中央表面の平均的な或いは主要な向きに関するよう理解されるべきであることが付記される。キャップの中心からキャップの外周縁への方向において、中央表面は凸状に湾曲されてもよく、その場合には、中央表面の全体的な向きは、中央表面の平均接線平面の向きであるよう理解されるべきである。
【００１２】
好適実施態様において、本発明に従ったキャップは、少なくとも３つの環状波形を含み、最外側環状波形の中央表面の全体的な向きと最外側環状波形に隣接する環状波形の中央表面の全体的な向きとの間の角度は、最内側環状波形の中央表面の全体的な向きと最内側環状波形に隣接する環状波形の中央表面の全体的な向きとの間よりも大きい。キャップが皮膚に沿って移動され、皮膚が最内側環状波形によって接触されるようになるときに、皮膚が実際的に変形されず且つこれ以上圧力に晒されないことを達成するために、もし最内側環状波形の中央表面が、最外側環状波形の中央表面よりも少ない下垂構造を有するならば有利である。
【００１３】
環状波形の中央表面が、キャップの中心からキャップの外周縁への方向に、凸状に湾曲する場合には、異なる環状波形の中央表面の曲率半径は、実質的に同じであり得る。３つの環状波形を有する既知のキャップでは、環状波形の中央表面は、これらの中央表面を含む、実質的に平面的な外観のキャップの皮膚接触表面を有するために比較的大きい、特定の半径を有する仮想円に従って湾曲する。快適性の感覚は、環状波形の中央表面が個別に湾曲するときに増大され、その場合には、曲率半径は比較的小さいように思われる。
【００１４】
さらに、キャップが通常皮膚と接触させられる向きにおいて見られるとき、最外側環状波形が隣接する環状波形に対して幾分引っ込められるよう、もし最外側環状波形の中央表面が、最外側環状波形に隣接する環状波形の中央表面と異なるレベルに延びるならば有利であるように思われる。同様に、最内側環状波形の中央表面が、最内側環状波形に隣接する環状波形の中央表面と異なるレベルに延びるならば有利であるように思われる。このようにして、環状波形が配置されるキャップの部分の全体的な形状がトロイダルであることが実現される。
【００１５】
本発明に従ったキャップは、如何なる適切な種類のシェービングヘッドにも適用され得るし、このキャップを有するシェービングヘッドは、如何なる適切な種類のシェービング装置にも適用され得る。本発明に従ったキャップは、形状機能の故に、使用者のための快適性の感覚を増大し得るので、キャップを有するシェービングヘッドを、シェービングヘッドがシェービング装置のハウジング部分に可撓に或いは固定的に接続されるシェービング装置に適用し、依然として満足な結果を得ることが極めて可能である。
【００１６】
本発明の上述された並びに他の特徴は、本発明に従ったキャップの実施態様の以下の記載を参照して明瞭に解明されよう。
【００１７】
本発明は、図面を参照してより詳細に今や説明され、図面中、同一又は類似の部分は、同じ参照記号によって指し示されている。
【図面の簡単な説明】
【００１８】
【図１】本発明に従ったキャップを含む３つのシェービングヘッドを有するシェービング装置を概略的に示す斜視図である。
【図２】本発明に従ったキャップの好適実施態様を示す上面図である。
【図３】本発明に従ったキャップの好適実施態様を示す側断面図である。
【図４】本発明に従ったキャップの好適実施態様の環状波形の中央表面の構造を示す概略図である。
【発明を実施するための形態】
【００１９】
図１は、３つのシェービングヘッド１０を有する電気シェービング装置１を示しており、そこでは、各シェービングヘッド１０は、本発明に従ったキャップ１１を含む。シェービングヘッド１０は、シェービング装置１のハウジング１２のシェービング部分１２ａ内に取り付けられている。シェービング装置１のハウジング１２は、さらに、シェービング装置１の使用者によって把持されることが意図されるグリップ部分１２ｂを含む。グリップ部分１２ｂの内側には、電気モータ（図示せず）及び電池（図示せず）を含むシェービング装置１の幾つかの構成部品が配置されている。シェービング装置１の実用的な実施態様では、シェービングヘッド１０のキャップ１１は、金属から製造されるのに対し、ハウジング１２は、プラスチックから製造される。
【００２０】
キャップ１１の他に、シェービング装置１の各シェービングヘッド１０は、回転可能に配置される切断部材（図示せず）を含む、切断部材は、毛を通じて切断するよう構成され、キャップ１１に近接して、シェービングヘッド１０の内部内に配置されている。キャップ１１は、剃り落とされるべき毛を通過させてシェービングヘッド１０の内部に至らせるための多数の孔１３を含む。
【００２１】
シェービング装置１は、皮膚の地域をシェービングする目的のために使用されるのに適し、以下のように動作される。使用者は、シェービング装置１のハウジング１２のグリップ部分１２ｂを把持し、ハウジング１２のシェービング部分１２ａをシェービングヘッド１０のキャップ１１が皮膚に接触するよう皮膚に対して配置する。さらに、使用者は、毛がキャップ１１の孔１３内に捕捉される連続的なプロセスが起こるよう、皮膚に沿ってシェービング部分１２ａを移動する。シェービング装置１の動作状態では、切断部材が回転運動を遂行するよう駆動されるように、電気モータのスイッチが入れられる。関連付けられるキャップ１１に対する切断部材のこの動作の故に、キャップ１１の孔１３内に捕捉される毛は切り落とされ、これらの毛は、シェービングヘッド１０の内部と連絡する毛室（図示せず）内に収容される。
【００２２】
図２及び３は、本発明に従ったキャップ１１の好適実施態様を示す図面である。
【００２３】
キャップ１１は、円形の外周縁２０を有する。キャップ１１の実用的な実施態様では、キャップ１１の直径は、２０ｍｍのオーダであり得る。キャップ１１がシェービングヘッド１０内に取り付けられるときに外向きに面することが意図されるキャップ１１の皮膚接触表面２１は、３つの環状波形(annular  corrugation)２２，２３，２４、即ち、最外側環状波形２２と、中央環状波形２３と、最内側環状波形２４とを含む。以下では、明瞭性のために、皮膚接触表面２１があるキャップ１１の側は、キャップ１１の上側とみなされる。
【００２４】
環状波形２２，２３，２４は、同心状に配置され、キャップ１１の中心部分２５の周りに配置され、中心部分は、中心配置される凹部２６を有する。図３では、キャップ１１の中心軸は、点及び破線を用いて示されている。
【００２５】
環状波形２２，２３，２４のそれぞれは、１つの側の内側環状境界表面２２ｂ，２３ｂ，２４ｂと他の側の外側環状境界表面２２ｃ，２３ｃ，２４ｃとの間に配置される、環状中央表面２２ａ，２３ａ，２４ａを有する。環状中央表面２２ａ，２３ａ，２４ａは、丸い移行表面２２ｄ，２２ｅ，２３ｄ，２３ｅ，２４ｄ，２４ｅを通じて、関連する環状境界表面２２ｂ，２３ｃ，２３ｂ，２３ｃ，２４ｂ，２４ｃに接続されている。図示の実施例において、各移行表面２２ｄ，２２ｅ，２３ｄ，２３ｅ，２４ｄ，２４ｅは、２つの異なる半径に従って湾曲し、最大半径は、中央表面２２ａ，２３ａ，２４ａの側に存在している。
【００２６】
最外側環状波形２２の内側環状境界表面２２ｂが中央環状波形２３の外側環状境界表面２３ｃに接続されるキャップ１１の皮膚接触表面２１の部分は、皮膚接触表面２１の外側凹部２８を構成しているのに対し、中央環状波形２３の内側環状境界表面２３ｂが最内側環状波形２４の外側環状境界表面２４ｃに接続される部分は、皮膚接触表面２１の内側凹部２９を構成している。
【００２７】
キャップ１１の中心軸２７からキャップ１１の外周縁２０への方向において、中央表面２２ａ，２３ａ，２４ａは凸状に湾曲している。図示の実施例では、中央表面２２ａ，２３ａ，２４ａの半径は、実質的に同じである。前述のようにキャップ１１の直径が２０ｍｍのオーダにある場合には、曲率半径の適切な値は７ｍｍである。
【００２８】
キャップ１１の皮膚接触表面２１の顕著な機能は、キャップ１１の中心軸２７からキャップ１１の外周縁２０への方向において、最外側環状波形２２の中央表面２２ａが、他の環状波形２３，２４の中央表面２３ａ，２４ａに続く仮想の滑らかに流れる平面に対して下向きに傾斜されることであり、それは薄い線３０を用いて図３中に示されている。換言すれば、最外側環状波形２２の中央表面２２ａは、他の環状波形２３，２４の中央表面２３ａ，２４ａに対して下垂されているのに対し、最外側環状波形２２の中央表面２２ａは、中央環状波形２３の中央表面２３ａに対して有意に傾斜されている。
【００２９】
図４は、キャップ１１の環状波形２２，２３，２４の中央表面２２ａ，２３ａ，２４ａの構造を概略的に例証している。この概略図には、中央表面２２ａ，２３ａ，２４ａを有する環状波形２２，２３，２４の部分の断面の側面図が示されており、中央表面２２ａ，２３ａ，２４ａは、平面的であるよう示されている。さらに、中央環状波形２３の中央表面２３ａは、水平向きに示されている。中央環状波形２３の側での、中央環状波形２３の中央表面２３ａと最外側環状波形２２の中央表面２２ａとの間の高さの差は、ｈ１の下で示されており、中央環状波形２３の側での、中央環状波形２３の中央表面２３ａと最内側環状波形２４の中央表面２４ａとの間の高さの差は、ｈ２の下で示されている。水平に対する最外側環状波形２２の中央表面２２ａの角度は、α１の下で示されており、水平に対する最内側環状波形２４の中央表面２４ａの角度は、α２の下で示されている。
【００３０】
図２及び３に示されるような本発明に従ったキャップ１１において、両方の高さの差ｈ１及びｈ２は、ゼロよりも大きい。同じことが角度α１及びα２にも当て嵌まり、水平に対する最外側環状波形２２の中央表面２２ａの角度α１は、水平に対する最内側環状波形２４の中央表面２４ａの角度α２よりも大きい。図示の実施例において両方の角度α１及びα２がゼロよりも大きいという事実に鑑みると、環状波形２２，２３，２４がトロイダル（ドーナッツ状）として配置されるキャップ１１の全体的な形状を示すことが可能である。
【００３１】
一般的には、ｈ１及びｈ２の高さの差並びに水平に対する最外側環状波形２２の中央表面２２ａの角度α１の両方がゼロよりも大きいのに対し、水平に対する最内側環状波形２４の中央表面２４ａの角度α２がゼロ以上であることは真実である。
【００３２】
図４において中央環状波形２３の中央表面２３ａが水平に従って向けられているという事実に鑑みると、最外側環状波形２２の中央表面２２ａの全体的な向きと、中央環状波形２３の中央表面２３ａの全体的な向きとの間の角度は、水平に対する最外側環状波形２２の中央表面２２ａの角度α１と等しく、最内側環状波形２４の中央表面２４ａの全体的な向きと中央環状波形２３の中央表面２３ａの全体的な向きとの間の角度は、水平に対する最内側環状波形２４の中央表面２４ａの角度α２と等しいことが付記される。
【００３３】
本発明に従ったキャップ１１は、キャップ１１を有するシェービングヘッド１０を備えるシェービング装置の使用者により大きな快適性の間隔を提供するよう設計される。これは主としてキャップ１１の皮膚接触表面２１の形状に基づき達成され、それは使用者の皮膚の上でのキャップ１１の滑らかな通過を得ながら、高い圧力ピークを避けるよう構成される。換言すれば、キャップ１１は、快適なプロファイルを有し、そこでは、快適性の感覚に寄与する重要な要因は、他の環状波形２３，２４の中央表面２３ａ，２４ａに対する最外側環状波形２２の中央表面２２ａの下垂(drooping)構造である、例えば、図示されるような本発明に従ったキャップ１１の好適実施態様では、最外側環状波形２２の中央表面２２ａの全体的な向きと、中央環状波形２３の中央表面２３ａの全体的な向きとの間の角度は、ほぼ１４°である。一般的には、この角度が１０°よりも大きいならば、満足な結果が得られるが、それはその角度が０°と１０°との間の値も有し得るという事実を変更しない。
【００３４】
快適性の感覚に寄与する他の重要な要因は、環状波形２２，２３，２４の中央表面２２ａ，２３ａ，２４ａの凸状湾曲形状、及び、環状波形２２，２３，２４が配置されるキャップ１１の部分のドーナッツ状の全体的形状である。
【００３５】
具体的には、本発明に従ったキャップ１１の図示の実施例において、水平に対する最外側環状波形２２の中央表面２２ａの角度α１は１４°であり、水平に対する最外側環状波形２４の中央表面２４ａの角度は１°であり、中央環状波形２３の中央表面２３ａと最外側環状波形２２の中央表面２２ａとの間の高さの差ｈ１は、中央環状波形２３の側で、０．０９ｍｍであり、中央環状波形２３の中央表面２３ａと最内側環状波形２４の中央表面２４ａとの間の高さの差ｈ２は、中央環状波形２３の側で、０．０１ｍｍである。既述されたような角度及び高さの差の値の他の適切な組み合わせが、本発明の範囲内で実現可能である。
【００３６】
キャップ１１は、多くの種類のシェービングヘッド１０及び少なくとも１つのシェービングヘッドを含むシェービング装置１に適用されるのに適している。そのような本発明に従ったキャップ１１が使用者に快適性の大きな感覚を経験させ得るという事実に鑑みると、キャップ１１は、シェービング装置１のハウジング１２のシェービング部分１２ａに可撓に或いは固定的に接続されるシェービングヘッド１０内に適用されるのに特に適している。そのようなシェービング装置１では、ハウジング１２のシェービング部分１２ａは、ハウジング１２のグリップ部分１２ｂに対して限定的な程度で移動可能であるように配置され得るが、これは本質的ではないことが付記される。
【００３７】
本発明の範囲が前記に議論された実施例に限定されず、その幾つかの矯正及び変更が添付の請求項中に定められる本発明の範囲から逸脱せずに可能であることは、当業者に明らかであろう。本発明は図面及び記載中に詳細に例証され且つ記載されたが、そのような例証及び記載は例証的或いは例示的にのみ考えられるべきであり、制限的ではない。本発明は、開示された実施態様に限定されない。
【００３８】
この関係で、本発明の範囲は、３つの環状波形２２，２３，２４を有するキャップ１１に制約されないことが付記される。本発明は、２つだけの環状波形を有するキャップ、又は、３つの環状波形２２，２３，２４よりも多くの環状波形を有するキャップにも関する。さらに、本発明が適用されるシェービング装置１のシェービングヘッド１０の数は自由に選択され得ることが付記される。
【００３９】
開示の実施態様に対する変形が、図面、記載、及び、添付の請求項の研究から、請求される発明を実施する当業者によって理解され且つ行われ得る。請求項中、「含む」という語は、他のステップ又は素子を排除せず、不定冠詞”a”又は”an”は、複数を排除しない。特定の手段が相互に異なる従属項に引用されているという単なる事実は、これらの手段の組み合わせが有利に使用され得ないことを示さない。請求項中の如何なる参照記号も、本発明の範囲を限定するよう解釈されてはならない。
【００４０】
前記において、シェービング装置１のシェービングヘッド１０に適用されることが適切であるキャップ１１が開示され、そこでは、シェービングヘッド１０は、さらに、毛を通じて切断するよう構成される移動可能に配置される切断部材を含む。キャップ１１は、少なくとも２つの環状波形２２，２３，２４を含む皮膚接触表面２１を有する。これらの環状波形２２，２３，２４が配置されるキャップ１１の地域内に、キャップ１１は切り落とされるべき毛を捕捉し通過させる孔１３を備える。
【００４１】
キャップ１１の皮膚接触表面２１の形状は、キャップ１１を含む少なくとも１つのシェービングヘッド１０を備えるシェービング装置１の使用者のための高い快適性の感覚を実現するよう構成される。快適性の感覚に寄与する要因は、外側環状波形２２の中央表面２２ａが、少なくとも１つの他の環状波形２３，２４の少なくとも１つの中央表面２３ａ，２４ａに続く仮想の滑らかに流れる平面３０の予期される進路(course)と一致しない向きを有することであり、そこでは、少なくとも１つの他の環状波形２３，２４の少なくとも１つの中央表面２３ａ，２４ａに対する最外側環状波形２２の中央表面２２ａの下垂構造が実現される。
【図１】
2010510823.tif 000003
【図２】
2010510823.tif 000004
【図３】
2010510823.tif 000005
【図４】
2010510823.tif 000006
【手続補正書】
【提出日】平成21年5月29日(2009.5.29)
【手続補正１】
【補正対象書類名】明細書
【補正対象項目名】全文
【補正方法】変更
【補正の内容】
【発明の詳細な説明】
【技術分野】
【０００１】
本発明は、シェービング装置（髭剃り）のシェービングヘッド（髭剃りヘッド）に適用されることが意図され、且つ、シェービングされるべき皮膚に接触するための表面を有し、皮膚接触表面は、少なくとも３つの環状波形を含み、各環状波形は、環状中央表面と、内部環状境界表面と、外側環状境界表面とを有するキャップに関する。本発明は、そのようなキャップと、毛を通じて切断するよう構成される切断部材とを有するシェービングヘッド、シェービング装置のハウジングの一部と、少なくとも１つのそのようなシェービングヘッドとを含む、シェービング装置に適用されることが意図されるユニット、及び、少なくとも１つのそのようなシェービングヘッドを含むシェービング装置にも関する。
【背景技術】
【０００２】
シェービング装置は毛を剃り落とす目的のために適用可能であることが概ね既知である。周知の種類のシェービング装置は、電気シェービング装置（電気髭剃り）、即ち、シェービング装置の１つ又はそれよりも多くの構成部品を駆動するための電気モータを含むシェービング装置である。
【０００３】
電気シェービング装置は、少なくとも１つのシェービングヘッドを含み、シェービングヘッドは、シェービング装置の複合素子であり、毛を実際に捕捉し且つ毛切断作用を遂行するために働く。この目的を達成するために、とりわけ、シェービングヘッドは、シェービングされるべき皮膚と接触するための表面を有するキャップを有し、キャップは、毛を捕捉し且つシェービングヘッドの内部空間に毛を通させる孔を備える。この内部空間には、キャップに近接して、切断部材が配置され、それはシェービング装置の動作中にキャップに対して移動するよう駆動されるので、キャップの孔を通じて延びる毛は切り落とされる。切断部材はキャップによって皮膚から遮断されるので、キャップが皮膚を保護する機能も有することは明らかである。
【０００４】
皮膚の特定地域をシェービングする目的のために、切断部材が駆動され、シェービングヘッドが皮膚と接触させられ、シェービング装置がシェービングヘッドと皮膚との間の接触が維持されながら皮膚に沿って移動されるので、毛を捕捉し且つ毛を切り落とす連続的なプロセスが遂行される。
【０００５】
とりわけ、シェービング装置の少なくとも１つのシェービングヘッドのキャップの形状は、その皮膚がシェービング動作に晒される人によって経験される感覚を決定するための重要な要因である。この点に関する他の重要な要因の例は、シェービングヘッドがシェービング動作中に使用者によって保持されるシェービング装置の部分に対して移動可能である程度である。
【０００６】
広範なキャップが既知であり、実際に適用される。普通、所謂回転式シェービング装置、即ち、少なくとも１つのシェービングヘッドの切断部材が回転可能に配置されるシェービング装置のシェービングヘッドは、円形の周縁を有するキャップを備える。具体的な種類のキャップにおいて、キャップの皮膚接触表面は、３つの同心状に配置された環状波形を含み、毛を捕捉するための装置は、これらの環状波形内に配置される。
【０００７】
ＥＰ０５６６２９２は、丸い外部切断部材を備える電気かみそりを開示している。切断部材は、シェービングが遂行されるときに皮膚と接触するようになるシェービング表面を有する。シェービング表面は、溝によって３つの円形のシェービング部分に同心状に分割されている。
【０００８】
ＥＰ１６８６０９は、３つのカッタユニットが設けられるカッタヘッドを有するシェーバを開示している。各カッタユニットは、外側カッタと、内側カッタとを有する。外側カッタの上方部分は円形であり、実質的に丸い開口が中心に形成されている。単一のリング形状溝が、外側カッタの円形の上方部分内に形成されている。溝は、内側カッタの回転中心である中心軸線と同心である。円形のシェービング表面を形成するブレード形成領域が、リング形状溝を挟装する内側及び外側の対として形成されている。
【０００９】
ＵＳ−Ａ−２６３２９４８は、径方向スロットを有する同心的な軌道を備える固定的な切断板を有するヘッドを備える機械的かみそりを開示している。軌道は、互いに対する段階に配置され、それらのレベルは、最内側軌道から最外側軌道に下がって減少している。
【００１０】
ＷＯ０３／０５９５８４Ａ１は、環状壁部分を有するシェーバのシェーバヘッドのキャップを開示している。環状壁部分は、毛進入孔と、内側環状境界と、周縁環状境界とを有している。
【００１１】
ＵＳ−Ａ−３６３６６２６は、乾式シェーバを開示している。乾式シェーバは、４つのシェービングヘッドを作動するシャフトを有する。シェービングヘッドは、互いに対して上昇され且つ下降されるよう構成された同心的な剪断板によって形成されている。
【発明の概要】
【発明が解決しようとする課題】
【００１２】
シェービング装置のシェービングヘッドに適用されることが意図されるキャップであり、このキャップを有する少なくとも１つのシェービングヘッドを含むシェービング装置の使用者のための増大された快適性の感覚を実現し得るよう成形されるキャップを提供することが本発明の目的である。
【課題を解決するための手段】
【００１３】
この目的は、少なくとも３つの環状波形を含む皮膚接触表面を有し、各環状波形は、環状中央表面と、内側環状境界表面と、外側環状境界表面とを有するキャップであって、最外側環状波形の中央表面の全体的な向きと最外側環状波形に隣接する環状波形の中央表面の全体的な向きとの間の角度は、最内側環状波形の中央表面の全体的な向きと最内側環状波形に隣接する環状波形の中央表面の全体的な向きとの間の角度よりも大きく、それによって、キャップの中心からキャップの外周縁への方向において、最外側環状波形の中央表面の進路が、少なくとも１つの他の環状波形の少なくとも１つの中央表面に続く仮想の滑らかに流れる平面の予期される進路から逸脱し、最外側環状波形の中央表面は、少なくとも１つの他の環状波形の少なくとも１つの中央表面に続く仮想の滑らかに流れる平面から傾斜して離れるキャップによって達成される。
【００１４】
本発明によれば、キャップが皮膚に沿って移動されるときに皮膚が実際に変形されず且つこれ以上圧力に晒されず、皮膚が最内側環状波形によって接触されるようになることを達成するために、最内側環状波形の中央表面は、最外側環状波形の中央表面よりも少ない下垂構造を有し、その結果として、キャップの最外側環状波形の中央表面は、他の環状波形の中央表面を備える仮想の滑らかな流れ平面の上にない。このようにして、他の環状波形の中央表面に対する最外側環状波形の中央表面の明らかな下垂構造を得ることが可能である。本発明に従ったキャップの適用は、正に、使用者の快適性の感覚を増大するように思われる。その説明は、最外側環状波形の外側環状境界表面によって構成される障壁が、少なくとも２つの環状波形を有する如何なる既知のキャップにおけるよりも、本発明に従ったキャップ内でより低いという事実に見い出される。このようにして、使用者が彼又は彼女の皮膚に沿ってキャップを移動するとき、皮膚の新鮮な部分がキャップの最外側環状波形の外側環状境界表面に直面する前進プロセスがより滑らかな方法で行われることが達成され、その場合には、最外側環状波形に対するより低い圧力ピークが実現される。
【００１５】
有利に、本発明に従ったキャップでは、最外側環状波形の中央表面は、最外側環状波形に隣接する環状波形の中央表面に対して有意に傾斜され、最外側環状波形の中央表面の全体的な向きと最外側環状波形に隣接する環状波形の中央表面の全体的な向きとの間の角度は０°よりも有意に大きい。例えば、この角度は、最外側環状波形に対する圧力ピークの減少の望ましい効果が実際に得られよう、１０°よりも大きくあり得るし、最外側環状波形は隣接する環状波形に対して言わばランオン(run-on)として機能するので、皮膚の地域に沿うキャップの移動の間の快適性の感覚が増大される。
【００１６】
完全性のために、中央表面の全体的な向きの着想は、中央表面の平均的な或いは主要な向きに関するよう理解されるべきであることが付記される。キャップの中心からキャップの外周縁への方向において、中央表面は凸状に湾曲されてもよく、その場合には、中央表面の全体的な向きは、中央表面の平均接線平面の向きであるよう理解されるべきである。
【００１７】
環状波形の中央表面が、キャップの中心からキャップの外周縁への方向に、凸状に湾曲する場合には、異なる環状波形の中央表面の曲率半径は、実質的に同じであり得る。３つの環状波形を有する既知のキャップでは、環状波形の中央表面は、これらの中央表面を含む、実質的に平面的な外観のキャップの皮膚接触表面を有するために比較的大きい、特定の半径を有する仮想円に従って湾曲する。快適性の感覚は、環状波形の中央表面が個別に湾曲するときに増大され、その場合には、曲率半径は比較的小さいように思われる。
【００１８】
さらに、キャップが通常皮膚と接触させられる向きにおいて見られるとき、最外側環状波形が隣接する環状波形に対して幾分引っ込められるよう、もし最外側環状波形の中央表面が、最外側環状波形に隣接する環状波形の中央表面と異なるレベルに延びるならば有利であるように思われる。同様に、最内側環状波形の中央表面が、最内側環状波形に隣接する環状波形の中央表面と異なるレベルに延びるならば有利であるように思われる。このようにして、環状波形が配置されるキャップの部分の全体的な形状がトロイダルであることが実現される。
【００１９】
本発明に従ったキャップは、如何なる適切な種類のシェービングヘッドにも適用され得るし、このキャップを有するシェービングヘッドは、如何なる適切な種類のシェービング装置にも適用され得る。本発明に従ったキャップは、形状機能の故に、使用者のための快適性の感覚を増大し得るので、キャップを有するシェービングヘッドを、シェービングヘッドがシェービング装置のハウジング部分に可撓に或いは固定的に接続されるシェービング装置に適用し、依然として満足な結果を得ることが極めて可能である。
【００２０】
本発明の上述された並びに他の特徴は、本発明に従ったキャップの実施態様の以下の記載を参照して明瞭に解明されよう。
【００２１】
本発明は、図面を参照してより詳細に今や説明され、図面中、同一又は類似の部分は、同じ参照記号によって指し示されている。
【図面の簡単な説明】
【００２２】
【図１】本発明に従ったキャップを含む３つのシェービングヘッドを有するシェービング装置を概略的に示す斜視図である。
【図２】本発明に従ったキャップの好適実施態様を示す上面図である。
【図３】本発明に従ったキャップの好適実施態様を示す側断面図である。
【図４】本発明に従ったキャップの好適実施態様の環状波形の中央表面の構造を示す概略図である。
【発明を実施するための形態】
【００２３】
図１は、３つのシェービングヘッド１０を有する電気シェービング装置１を示しており、そこでは、各シェービングヘッド１０は、本発明に従ったキャップ１１を含む。シェービングヘッド１０は、シェービング装置１のハウジング１２のシェービング部分１２ａ内に取り付けられている。シェービング装置１のハウジング１２は、さらに、シェービング装置１の使用者によって把持されることが意図されるグリップ部分１２ｂを含む。グリップ部分１２ｂの内側には、電気モータ（図示せず）及び電池（図示せず）を含むシェービング装置１の幾つかの構成部品が配置されている。シェービング装置１の実用的な実施態様では、シェービングヘッド１０のキャップ１１は、金属から製造されるのに対し、ハウジング１２は、プラスチックから製造される。
【００２４】
キャップ１１の他に、シェービング装置１の各シェービングヘッド１０は、回転可能に配置される切断部材（図示せず）を含む、切断部材は、毛を通じて切断するよう構成され、キャップ１１に近接して、シェービングヘッド１０の内部内に配置されている。キャップ１１は、剃り落とされるべき毛を通過させてシェービングヘッド１０の内部に至らせるための多数の孔１３を含む。
【００２５】
シェービング装置１は、皮膚の地域をシェービングする目的のために使用されるのに適し、以下のように動作される。使用者は、シェービング装置１のハウジング１２のグリップ部分１２ｂを把持し、ハウジング１２のシェービング部分１２ａをシェービングヘッド１０のキャップ１１が皮膚に接触するよう皮膚に対して配置する。さらに、使用者は、毛がキャップ１１の孔１３内に捕捉される連続的なプロセスが起こるよう、皮膚に沿ってシェービング部分１２ａを移動する。シェービング装置１の動作状態では、切断部材が回転運動を遂行するよう駆動されるように、電気モータのスイッチが入れられる。関連付けられるキャップ１１に対する切断部材のこの動作の故に、キャップ１１の孔１３内に捕捉される毛は切り落とされ、これらの毛は、シェービングヘッド１０の内部と連絡する毛室（図示せず）内に収容される。
【００２６】
図２及び３は、本発明に従ったキャップ１１の好適実施態様を示す図面である。
【００２７】
キャップ１１は、円形の外周縁２０を有する。キャップ１１の実用的な実施態様では、キャップ１１の直径は、２０ｍｍのオーダであり得る。キャップ１１がシェービングヘッド１０内に取り付けられるときに外向きに面することが意図されるキャップ１１の皮膚接触表面２１は、３つの環状波形(annular  corrugation)２２，２３，２４、即ち、最外側環状波形２２と、中央環状波形２３と、最内側環状波形２４とを含む。以下では、明瞭性のために、皮膚接触表面２１があるキャップ１１の側は、キャップ１１の上側とみなされる。
【００２８】
環状波形２２，２３，２４は、同心状に配置され、キャップ１１の中心部分２５の周りに配置され、中心部分は、中心配置される凹部２６を有する。図３では、キャップ１１の中心軸は、点及び破線を用いて示されている。
【００２９】
環状波形２２，２３，２４のそれぞれは、１つの側の内側環状境界表面２２ｂ，２３ｂ，２４ｂと他の側の外側環状境界表面２２ｃ，２３ｃ，２４ｃとの間に配置される、環状中央表面２２ａ，２３ａ，２４ａを有する。環状中央表面２２ａ，２３ａ，２４ａは、丸い移行表面２２ｄ，２２ｅ，２３ｄ，２３ｅ，２４ｄ，２４ｅを通じて、関連する環状境界表面２２ｂ，２３ｃ，２３ｂ，２３ｃ，２４ｂ，２４ｃに接続されている。図示の実施例において、各移行表面２２ｄ，２２ｅ，２３ｄ，２３ｅ，２４ｄ，２４ｅは、２つの異なる半径に従って湾曲し、最大半径は、中央表面２２ａ，２３ａ，２４ａの側に存在している。
【００３０】
最外側環状波形２２の内側環状境界表面２２ｂが中央環状波形２３の外側環状境界表面２３ｃに接続されるキャップ１１の皮膚接触表面２１の部分は、皮膚接触表面２１の外側凹部２８を構成しているのに対し、中央環状波形２３の内側環状境界表面２３ｂが最内側環状波形２４の外側環状境界表面２４ｃに接続される部分は、皮膚接触表面２１の内側凹部２９を構成している。
【００３１】
キャップ１１の中心軸２７からキャップ１１の外周縁２０への方向において、中央表面２２ａ，２３ａ，２４ａは凸状に湾曲している。図示の実施例では、中央表面２２ａ，２３ａ，２４ａの半径は、実質的に同じである。前述のようにキャップ１１の直径が２０ｍｍのオーダにある場合には、曲率半径の適切な値は７ｍｍである。
【００３２】
キャップ１１の皮膚接触表面２１の顕著な機能は、キャップ１１の中心軸２７からキャップ１１の外周縁２０への方向において、最外側環状波形２２の中央表面２２ａが、他の環状波形２３，２４の中央表面２３ａ，２４ａに続く仮想の滑らかに流れる平面に対して下向きに傾斜されることであり、それは薄い線３０を用いて図３中に示されている。換言すれば、最外側環状波形２２の中央表面２２ａは、他の環状波形２３，２４の中央表面２３ａ，２４ａに対して下垂されているのに対し、最外側環状波形２２の中央表面２２ａは、中央環状波形２３の中央表面２３ａに対して有意に傾斜されている。
【００３３】
図４は、キャップ１１の環状波形２２，２３，２４の中央表面２２ａ，２３ａ，２４ａの構造を概略的に例証している。この概略図には、中央表面２２ａ，２３ａ，２４ａを有する環状波形２２，２３，２４の部分の断面の側面図が示されており、中央表面２２ａ，２３ａ，２４ａは、平面的であるよう示されている。さらに、中央環状波形２３の中央表面２３ａは、水平向きに示されている。中央環状波形２３の側での、中央環状波形２３の中央表面２３ａと最外側環状波形２２の中央表面２２ａとの間の高さの差は、ｈ１の下で示されており、中央環状波形２３の側での、中央環状波形２３の中央表面２３ａと最内側環状波形２４の中央表面２４ａとの間の高さの差は、ｈ２の下で示されている。水平に対する最外側環状波形２２の中央表面２２ａの角度は、α１の下で示されており、水平に対する最内側環状波形２４の中央表面２４ａの角度は、α２の下で示されている。
【００３４】
図２及び３に示されるような本発明に従ったキャップ１１において、両方の高さの差ｈ１及びｈ２は、ゼロよりも大きい。同じことが角度α１及びα２にも当て嵌まり、水平に対する最外側環状波形２２の中央表面２２ａの角度α１は、水平に対する最内側環状波形２４の中央表面２４ａの角度α２よりも大きい。図示の実施例において両方の角度α１及びα２がゼロよりも大きいという事実に鑑みると、環状波形２２，２３，２４がトロイダル（ドーナッツ状）として配置されるキャップ１１の全体的な形状を示すことが可能である。
【００３５】
一般的には、ｈ１及びｈ２の高さの差並びに水平に対する最外側環状波形２２の中央表面２２ａの角度α１の両方がゼロよりも大きいのに対し、水平に対する最内側環状波形２４の中央表面２４ａの角度α２がゼロ以上であることは真実である。
【００３６】
図４において中央環状波形２３の中央表面２３ａが水平に従って向けられているという事実に鑑みると、最外側環状波形２２の中央表面２２ａの全体的な向きと、中央環状波形２３の中央表面２３ａの全体的な向きとの間の角度は、水平に対する最外側環状波形２２の中央表面２２ａの角度α１と等しく、最内側環状波形２４の中央表面２４ａの全体的な向きと中央環状波形２３の中央表面２３ａの全体的な向きとの間の角度は、水平に対する最内側環状波形２４の中央表面２４ａの角度α２と等しいことが付記される。
【００３７】
本発明に従ったキャップ１１は、キャップ１１を有するシェービングヘッド１０を備えるシェービング装置の使用者により大きな快適性の間隔を提供するよう設計される。これは主としてキャップ１１の皮膚接触表面２１の形状に基づき達成され、それは使用者の皮膚の上でのキャップ１１の滑らかな通過を得ながら、高い圧力ピークを避けるよう構成される。換言すれば、キャップ１１は、快適なプロファイルを有し、そこでは、快適性の感覚に寄与する重要な要因は、他の環状波形２３，２４の中央表面２３ａ，２４ａに対する最外側環状波形２２の中央表面２２ａの下垂(drooping)構造である、例えば、図示されるような本発明に従ったキャップ１１の好適実施態様では、最外側環状波形２２の中央表面２２ａの全体的な向きと、中央環状波形２３の中央表面２３ａの全体的な向きとの間の角度は、ほぼ１４°である。一般的には、この角度が１０°よりも大きいならば、満足な結果が得られるが、それはその角度が０°と１０°との間の値も有し得るという事実を変更しない。
【００３８】
快適性の感覚に寄与する他の重要な要因は、環状波形２２，２３，２４の中央表面２２ａ，２３ａ，２４ａの凸状湾曲形状、及び、環状波形２２，２３，２４が配置されるキャップ１１の部分のドーナッツ状の全体的形状である。
【００３９】
具体的には、本発明に従ったキャップ１１の図示の実施例において、水平に対する最外側環状波形２２の中央表面２２ａの角度α１は１４°であり、水平に対する最外側環状波形２４の中央表面２４ａの角度は１°であり、中央環状波形２３の中央表面２３ａと最外側環状波形２２の中央表面２２ａとの間の高さの差ｈ１は、中央環状波形２３の側で、０．０９ｍｍであり、中央環状波形２３の中央表面２３ａと最内側環状波形２４の中央表面２４ａとの間の高さの差ｈ２は、中央環状波形２３の側で、０．０１ｍｍである。既述されたような角度及び高さの差の値の他の適切な組み合わせが、本発明の範囲内で実現可能である。
【００４０】
キャップ１１は、多くの種類のシェービングヘッド１０及び少なくとも１つのシェービングヘッドを含むシェービング装置１に適用されるのに適している。そのような本発明に従ったキャップ１１が使用者に快適性の大きな感覚を経験させ得るという事実に鑑みると、キャップ１１は、シェービング装置１のハウジング１２のシェービング部分１２ａに可撓に或いは固定的に接続されるシェービングヘッド１０内に適用されるのに特に適している。そのようなシェービング装置１では、ハウジング１２のシェービング部分１２ａは、ハウジング１２のグリップ部分１２ｂに対して限定的な程度で移動可能であるように配置され得るが、これは本質的ではないことが付記される。
【００４１】
本発明の範囲が前記に議論された実施例に限定されず、その幾つかの矯正及び変更が添付の請求項中に定められる本発明の範囲から逸脱せずに可能であることは、当業者に明らかであろう。本発明は図面及び記載中に詳細に例証され且つ記載されたが、そのような例証及び記載は例証的或いは例示的にのみ考えられるべきであり、制限的ではない。本発明は、開示された実施態様に限定されない。
【００４２】
この関係で、本発明の範囲は、３つの環状波形２２，２３，２４を有するキャップ１１に制約されないことが付記される。本発明は、２つだけの環状波形を有するキャップ、又は、３つの環状波形２２，２３，２４よりも多くの環状波形を有するキャップにも関する。さらに、本発明が適用されるシェービング装置１のシェービングヘッド１０の数は自由に選択され得ることが付記される。
【００４３】
開示の実施態様に対する変形が、図面、記載、及び、添付の請求項の研究から、請求される発明を実施する当業者によって理解され且つ行われ得る。請求項中、「含む」という語は、他のステップ又は素子を排除せず、不定冠詞”a”又は”an”は、複数を排除しない。特定の手段が相互に異なる従属項に引用されているという単なる事実は、これらの手段の組み合わせが有利に使用され得ないことを示さない。請求項中の如何なる参照記号も、本発明の範囲を限定するよう解釈されてはならない。
【００４４】
前記において、シェービング装置１のシェービングヘッド１０に適用されることが適切であるキャップ１１が開示され、そこでは、シェービングヘッド１０は、さらに、毛を通じて切断するよう構成される移動可能に配置される切断部材を含む。キャップ１１は、少なくとも２つの環状波形２２，２３，２４を含む皮膚接触表面２１を有する。これらの環状波形２２，２３，２４が配置されるキャップ１１の地域内に、キャップ１１は切り落とされるべき毛を捕捉し通過させる孔１３を備える。
【００４５】
キャップ１１の皮膚接触表面２１の形状は、キャップ１１を含む少なくとも１つのシェービングヘッド１０を備えるシェービング装置１の使用者のための高い快適性の感覚を実現するよう構成される。快適性の感覚に寄与する要因は、外側環状波形２２の中央表面２２ａが、少なくとも１つの他の環状波形２３，２４の少なくとも１つの中央表面２３ａ，２４ａに続く仮想の滑らかに流れる平面３０の予期される進路(course)と一致しない向きを有することであり、そこでは、少なくとも１つの他の環状波形２３，２４の少なくとも１つの中央表面２３ａ，２４ａに対する最外側環状波形２２の中央表面２２ａの下垂構造が実現される。
【手続補正２】
【補正対象書類名】特許請求の範囲
【補正対象項目名】全文
【補正方法】変更
【補正の内容】
【特許請求の範囲】
【請求項１】
シェービング装置（１）のシェービングヘッド（１０）に適用されることが意図され、且つ、シェービングされるべき皮膚と接触するための表面（２１）を有し、
前記皮膚接触表面（２１）は、少なくとも３つの環状波形（２２，２３，２４）を有し、各環状波形（２２，２３，２４）は、環状中央表面（２２ａ，２３ａ，２４ａ）と、内側環状境界表面（２２ｂ，２３ｂ，２４ｂ）と、外側環状境界表面（２２ｃ，２３ｃ，２４ｃ）とを有する、
キャップ（１１）であって、
前記最外側環状波形（２２）の前記中央表面（２２ａ）の全体的な向きと前記最外側環状波形（２２）に隣接する環状波形（２３）の前記中央表面（２３ａ）の全体的な向きとの間の角度は、前記最内側環状波形（２４）の前記中央表面（２４ａ）の全体的な向きと前記最内側環状波形に隣接する環状波形（２３）の前記中央表面（２３ａ）の全体的な向きとの間の角度よりも大きく、それによって、
当該キャップの中心（２７）から当該キャップの外周縁（２０）への方向において、最外側環状波形（２２）の前記中央表面（２２ａ）の進路が、前記少なくとも１つの他の環状波形（２３，２４）の前記少なくとも１つの中央表面（２３ａ，２４ａ）に続く仮想の滑らかに流れる平面（３０）の予期される進路から逸脱し、前記最外側環状波形（２２）の前記中央表面（２２ａ）は、前記少なくとも１つの他の環状波形（２３，２４）の前記少なくとも１つの中央表面（２３ａ，２４ａ）に続く前記仮想の滑らかに流れる平面（３０）から傾斜して離れることを特徴とする、
キャップ。
【請求項２】
前記最外側環状波形（２２）の前記中央表面（２２ａ）は、前記最外側環状波形（２２）に近接する環状波形（２３）の前記中央表面（２３ａ）に対して有意に傾斜され、前記最外側環状波形（２２）の前記中央表面（２２ａ）の全体的な向きと前記最外側環状波形に隣接する前記環状波形（２３）の前記中央表面（２３ａ）の全体的な向きとの間の角度は、０°よりも有意に大きい、請求項１に記載のキャップ。
【請求項３】
前記最外側環状波形（２２）の前記中央表面（２２ａ）の前記全体的な向き、及び、前記最外側環状波形に隣接する前記環状波形（２３）の前記中央表面（２３ａ）の前記全体的な向きは、１０°よりも大きい、請求項２に記載のキャップ。
【請求項４】
当該キャップの中心（２７）から当該キャップの外周縁（２０）への方向において、前記環状波形（２２，２３，２４）の前記中央表面（２２ａ，２３ａ，２４ａ）は、凸状に湾曲する、請求項１乃至３のうちのいずれか１項に記載のキャップ。
【請求項５】
異なる環状波形（２２，２３，２４）の前記中央表面（２２ａ，２３ａ，２４ａ）の曲率半径は、実質的に同じである、請求項４に記載のキャップ。
【請求項６】
前記最外側環状波形（２２）の前記中央表面（２２ａ）は、前記最外側環状波形に隣接する環状波形（２３）の前記中央表面と異なるレベルに延びる、請求項１乃至５のうちのいずれか１項に記載のキャップ。
【請求項７】
最内側環状波形（２４）の前記中央表面（２４ａ）は、前記最内側環状波形に隣接する環状波形（２３）の前記中央表面（２３ａ）と異なるレベルに延びる、請求項１乃至６のうちのいずれか１項に記載のキャップ。
【請求項８】
前記環状波形（２２，２３，２４）が配置される当該キャップの部分の全体的な形状は、トロイダルである、請求項１乃至７のうちのいずれか１項に記載のキャップ。
【請求項９】
シェービング装置に適用されることが意図されるシェービングヘッドであって、毛を通じて切断するよう構成される切断部材と、請求項１乃至８のうちのいずれか１項に記載のキャップとを含む、シェービングヘッド。
【請求項１０】
シェービング装置に適用されることが意図されるユニットであって、前記シェービング装置のハウジングの部分と、請求項９に記載の少なくとも１つのシェービングヘッドとを含む、ユニット。
【請求項１１】
前記シェービングヘッドは、前記シェービング装置の前記ハウジングの前記部分に接続される、請求項１０に記載のユニット。
【請求項１２】
請求項９に記載の少なくとも１つのシェービングヘッドを含む、シェービング装置。
【請求項１３】
請求項１２に記載のシェービング装置であって、前記シェービングヘッドは、当該シェービング装置のハウジングの部分に接続される、シェービング装置。
【国際調査報告】
2010510823.tif 000007
2010510823.tif 000008
2010510823.tif 000009